【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
端末のアップリンクタイミング調整方法において、
少なくとも１つのＴＡＧ（ｔｉｍｉｎｇ  ａｄｖａｎｃｅ  ｇｒｏｕｐ）それぞれの識別子及び前記各ＴＡＧのタイム調整タイマーに関する情報を基地局から受信する段階と、
前記基地局からＳＣｅｌｌ（ｓｅｃｏｎｄａｒｙ  ｃｅｌｌ）として設定するためのセルを含むＴＡＧの識別子を受信する段階と、
前記基地局から前記ＳＣｅｌｌのためのＴＡＧの識別子及びＴＡＣ（ｔｉｍｉｎｇ  ａｄｖａｎｃｅ  ｃｏｍｍａｎｄ）を含むＭＡＣ（ｍｅｄｉｕｍ  ａｃｃｅｓｓ  ｃｏｎｔｒｏｌ）  ＣＥ（ｃｏｎｔｒｏｌ  ｅｌｅｍｅｎｔ）を受信する段階と、
前記ＭＡＣ  ＣＥに基づいて、前記ＳＣｅｌｌのためのＴＡＧにＴＡＣを適用する段階と、
前記ＭＡＣ  ＣＥが受信されると、前記各ＴＡＧのタイム調整タイマーに関する情報のうち前記ＳＣｅｌｌに対応する情報に基づいて、前記ＳＣｅｌｌが属するＴＡＧのためのタイム調整タイマーを開始する段階と、を含み、
前記ＴＡＧは、同一のアップリンクタイミングを有する少なくとも１つのＳＣｅｌｌを含むグループであることを特徴とする方法。
【請求項２】
前記ＳＣｅｌｌの活性化を指示するＭＡＣ  ＣＥを受信する段階と、
前記ＳＣｅｌｌの活性化を指示するＭＡＣ  ＣＥに基づいて、前記ＳＣｅｌｌを活性化する段階と、を含むことを特徴とする請求項１に記載の方法。
【請求項３】
前記ＴＡＧがＰＣｅｌｌ（ｐｒｉｍａｒｙ  ｃｅｌｌ）を含むＰＴＡＧ（ｐｒｉｍａｒｙ  ＴＡＧ）である場合、前記ＴＡＧの識別子は０に設定されることを特徴とする請求項１に記載の方法。
【請求項４】
前記識別子フィールドは２ビットであり、前記ＴＡＣフィールドは６ビットであることを特徴とする請求項１に記載の方法。
【請求項５】
前記ＴＡＧがＰＴＡＧでない場合、前記識別子は０でない値に設定されることを特徴とする請求項１に記載の方法。
【請求項６】
アップリンクタイミング調整のための端末において、
信号を送信及び受信する送受信部と、
少なくとも１つのＴＡＧ（ｔｉｍｉｎｇ  ａｄｖａｎｃｅ  ｇｒｏｕｐ）それぞれの識別子及び前記各ＴＡＧのタイム調整タイマーに関する情報を基地局から受信し、
前記基地局からＳＣｅｌｌ（ｓｅｃｏｎｄａｒｙ  ｃｅｌｌ）として設定するためのセルを含むＴＡＧの識別子を受信し、
前記基地局から前記ＳＣｅｌｌのためのＴＡＧの識別子及びＴＡＣ（ｔｉｍｉｎｇ  ａｄｖａｎｃｅ  ｃｏｍｍａｎｄ）を含むＭＡＣ（ｍｅｄｉｕｍ  ａｃｃｅｓｓ  ｃｏｎｔｒｏｌ）  ＣＥ（ｃｏｎｔｒｏｌ  ｅｌｅｍｅｎｔ）を受信し、
前記ＭＡＣ  ＣＥに基づいて、前記ＳＣｅｌｌのためのＴＡＧにＴＡＣを適用し、
前記ＭＡＣ  ＣＥが受信されると、前記各ＴＡＧのタイム調整タイマーに関する情報のうち前記ＳＣｅｌｌに対応する情報に基づいて、前記ＳＣｅｌｌが属するＴＡＧのためのタイム調整タイマーを開始するように制御する制御部と、を含み、
前記ＴＡＧは、同一のアップリンクタイミングを有する少なくとも１つのＳＣｅｌｌを含むグループであることを特徴とする端末。
【請求項７】
前記制御部は、
前記ＳＣｅｌｌの活性化を指示するＭＡＣ  ＣＥを受信し、
前記ＳＣｅｌｌの活性化を指示するＭＡＣ  ＣＥに基づいて、前記ＳＣｅｌｌを活性化するように制御することを特徴とする請求項６に記載の端末。
【請求項８】
前記ＴＡＧがＰＣｅｌｌ（ｐｒｉｍａｒｙ  ｃｅｌｌ）を含むＰＴＡＧ（ｐｒｉｍａｒｙ  ＴＡＧ）である場合、前記ＴＡＧの識別子は０に設定されることを特徴とする請求項６に記載の端末。
【請求項９】
前記識別子フィールドは２ビットであり、前記ＴＡＣフィールドは６ビットであることを特徴とする請求項６に記載の端末。
【請求項１０】
前記ＴＡＧがＰＴＡＧでない場合、前記識別子は０でない値に設定されることを特徴とする請求項６に記載の端末。
【請求項１１】
基地局のアップリンクタイミング調整方法において、
少なくとも１つのＴＡＧ（ｔｉｍｉｎｇ  ａｄｖａｎｃｅ  ｇｒｏｕｐ）それぞれの識別子及び前記各ＴＡＧのタイム調整タイマーに関する情報を端末に送信する段階と、
前記端末にＳＣｅｌｌ（ｓｅｃｏｎｄａｒｙ  ｃｅｌｌ）として設定するためのセルを含むＴＡＧの識別子を送信する段階と、
前記ＳＣｅｌｌのためのＴＡＧの識別子及びＴＡＣ（ｔｉｍｉｎｇ  ａｄｖａｎｃｅ  ｃｏｍｍａｎｄ）を含むＭＡＣ（ｍｅｄｉｕｍ  ａｃｃｅｓｓ  ｃｏｎｔｒｏｌ）  ＣＥ（ｃｏｎｔｒｏｌ  ｅｌｅｍｅｎｔ）を前記端末に送信する段階と、を含み、
前記ＳＣｅｌｌのＴＡＧのためのＴＡＣは、前記受信したＭＡＣ  ＣＥに基づいて前記端末に適用され、
前記ＭＡＣ  ＣＥが受信されると、前記各ＴＡＧのタイム調整タイマーに関する情報のうち前記ＳＣｅｌｌに対応する情報に基づいて、前記ＳＣｅｌｌが属するＴＡＧのためのタイム調整タイマーが開始され、
前記ＴＡＧは、同一のアップリンクタイミングを有する少なくとも１つのＳＣｅｌｌを含むグループであることを特徴とする方法。
【請求項１２】
前記ＳＣｅｌｌの活性化を指示するＭＡＣ  ＣＥを前記端末に送信する段階をさらに含み、
前記ＳＣｅｌｌは、前記ＳＣｅｌｌの活性化を指示するＭＡＣ  ＣＥに基づいて、前記端末で活性化されることを特徴とする請求項１１に記載の方法。
【請求項１３】
前記ＴＡＧがＰＣｅｌｌ（ｐｒｉｍａｒｙ  ｃｅｌｌ）を含むＰＴＡＧ（ｐｒｉｍａｒｙ  ＴＡＧ）である場合、前記ＴＡＧの識別子は０に設定されることを特徴とする請求項１１に記載の方法。
【請求項１４】
前記識別子フィールドは２ビットであり、前記ＴＡＣフィールドは６ビットであることを特徴とする請求項１１に記載の方法。
【請求項１５】
前記ＴＡＧがＰＴＡＧでない場合、前記識別子は０でない値に設定されることを特徴とする請求項１１に記載の方法。
【請求項１６】
アップリンクタイミング調整のための基地局において、
信号を送信及び受信する送受信部と、
少なくとも１つのＴＡＧ（ｔｉｍｉｎｇ  ａｄｖａｎｃｅ  ｇｒｏｕｐ）それぞれの識別子及び前記各ＴＡＧのタイム調整タイマーに関する情報を端末に送信し、
前記端末にＳＣｅｌｌ（ｓｅｃｏｎｄａｒｙ  ｃｅｌｌ）として設定するためのセルを含むＴＡＧの識別子を送信し、
前記ＳＣｅｌｌのためのＴＡＧの識別子及びＴＡＣ（ｔｉｍｉｎｇ  ａｄｖａｎｃｅ  ｃｏｍｍａｎｄ）を含むＭＡＣ（ｍｅｄｉｕｍ  ａｃｃｅｓｓ  ｃｏｎｔｒｏｌ）  ＣＥ（ｃｏｎｔｒｏｌ  ｅｌｅｍｅｎｔ）を前記端末に送信するように制御する制御部と、を含み、
前記ＳＣｅｌｌのＴＡＧのためのＴＡＣは、前記受信したＭＡＣ  ＣＥに基づいて前記端末に適用され、
前記ＭＡＣ  ＣＥが受信されると、前記各ＴＡＧのタイム調整タイマーに関する情報のうち前記ＳＣｅｌｌに対応する情報に基づいて、前記ＳＣｅｌｌが属するＴＡＧのためのタイム調整タイマーが開始され、
前記ＴＡＧは、同一のアップリンクタイミングを有する少なくとも１つのＳＣｅｌｌを含むグループであることを特徴とする基地局。
【請求項１７】
前記制御部は、前記ＳＣｅｌｌの活性化を指示するＭＡＣ  ＣＥを前記端末に送信するように制御し、
前記ＳＣｅｌｌは、前記ＳＣｅｌｌの活性化を指示するＭＡＣ  ＣＥに基づいて、前記端末で活性化されることを特徴とする請求項１６に記載の基地局。
【請求項１８】
前記ＴＡＧがＰＣｅｌｌ（ｐｒｉｍａｒｙ  ｃｅｌｌ）を含むＰＴＡＧ（ｐｒｉｍａｒｙ  ＴＡＧ）である場合、前記ＴＡＧの識別子は０に設定されることを特徴とする請求項１６に記載の基地局。
【請求項１９】
前記識別子フィールドは２ビットであり、前記ＴＡＣフィールドは６ビットであることを特徴とする請求項１６に記載の基地局。
【請求項２０】
前記ＴＡＧがＰＴＡＧでない場合、前記識別子は０でない値に設定されることを特徴とする請求項１６に記載の基地局。